(57)【特許請求の範囲】
【請求項１】
竿体に外装され、魚釣用リールの第１の脚を受け入れるように構成され、その外周に  雄ねじが形成された筒状のリールシート本体と、
前記魚釣用リールの第２の脚を受け入れる可動フードと、
前記可動フードを前記竿体の軸方向に沿って移動させるナット機構と、
を備えたリールシートであって、
前記ナット機構は、前記リールシート本体の雄ねじに螺合する第１のナットと、前記  リールシート本体の雄ねじに螺合する第２のナットと、前記第１のナットと前記第２の  ナットとの間に前記竿体の周りに回動不能に装着されたスリーブと、を有し、
前記スリーブは、切り割りを有する、リールシート。
【請求項２】
前記スリーブの内周面には前記竿体の軸方向に沿って延びる突起が形成され、
前記リールシート本体の外周面に前記竿体の軸方向に沿って延び、前記突起を受け入  れる溝が形成されている、請求項１に記載のリールシート。
【請求項３】
前記突起は、前記スリーブの内周面の前記切り割りと反対側に形成されている、請求  項２に記載のリールシート。
【請求項４】
前記スリーブは、前記竿体の軸方向に対して垂直な方向からは前記リールシート本体  に対して着脱できないように構成される、請求項１ないし請求項３のいずれか１項に記  載のリールシート。
【請求項５】
前記スリーブは、前記切り割りの幅が前記リールシート本体の直径よりも小さい範囲  で変形可能に構成される、請求項１ないし請求項４のいずれか１項に記載のリールシー  ト。
【請求項６】
前記スリーブに外装されるリングをさらに有する、請求項１ないし請求項５のいずれ  か１項に記載のリールシート。
【請求項７】
前記スリーブは、前記第１のナットと前記第２のナットとの間に前記竿体の周りに回 動不能に且つ拡径方向に弾性変形可能に装着される、
請求項１ないし請求項６のいずれか１項に記載のリールシート。
【請求項８】
請求項１ないし請求項７のいずれか１項に記載のリールシートを備える釣竿。
【発明の詳細な説明】
【技術分野】
【０００１】
本発明は、魚釣用リールの脚部を固定するリールシート及び当該リールシートを備える釣竿に関する。より具体的には、本発明は、ダブルナットでリールシートの可動フードを移動させることにより魚釣用リールの脚部を固定するリールシート及び当該リールシートを備える釣竿に関する。
【背景技術】
【０００２】
魚釣用リールは、リールシートを介して釣竿に固定される。例えば、特開２００９−６５８６８号公報（特許文献１）には、リール着座部と、当該リール着座部の一方の端部に取り付けられた固定フードと、当該リール着座部の他方の端部に釣竿の軸方向に移動自在に取り付けられた可動フードとを備えた釣竿用リールシートが開示されている。当該リールシートには、可動フードに隣接して締結ナットが設けられている。この締結ナットを締め付けることにより可動フードを固定フードに近づく方向に移動させることができる。このようにして魚釣用リールの脚が当該可動フードと当該固定フードとの間に固定される。
【０００３】
可動フードには、魚釣用リールの脚を通じて振動が加えられるので、この可動フードに隣接している締結ナットが緩みやすいという課題が知られている。この課題に対処するために、ダブルナットを用いて可動フードを締め付けることが提案されている。
【０００４】
しかしながら、ダブルナットを用いても振動による緩みの発生を完全に防止することはできない。そこで、ダブルナットの緩みを防止するための改良が提案されている。例えば、実公昭４９−１６４６７号公報（特許文献２）及び特開２０１０−９９００７号公報（特許文献３）では、ダブルナットを構成する２つのナットの間に回動が規制された緩み止めリングを設けることが提案されている。
【先行技術文献】
【特許文献】
【０００５】
【特許文献１】特開２００９−６５８６８号公報
【特許文献２】実公昭４９−１６４６７号公報
【特許文献３】特開２０１０−９９００７号公報
【発明の概要】
【発明が解決しようとする課題】
【０００６】
特許文献３で指摘されているように、リールシートの軸方向長さを短くするために、緩み止めリングは軸方向の長さが極力短くなるように形成される。つまり、緩み止めリングは、ダブルナットを構成するナットと比較して幅狭に形成される。よって、緩み止めリングは竿体の軸方向に対して傾きやすい。
【０００７】
ダブルナットを締め付ける際に、緩み止めリングに対しては大きな応力が作用する。緩み止めリングは幅狭に形成されるので、大きな応力が加えられたときに破壊されやすい。特に、緩み止めリングが軸方向に対して傾いているときには特定の箇所に応力が集中しやすいので、その応力が集中する場所に破壊が発生しやすい。
【０００８】
本発明の目的の一つは、リールシート用のダブルナットの緩み止め部材が破壊されにくくすることである。本発明の他の目的は、本明細書全体を参照することにより明らかとなる。
【課題を解決するための手段】
【０００９】
本発明の一実施形態に係るリールシートは、竿体に外装され魚釣用リールの第１の脚を受け入れるように構成された筒状のリールシート本体と、前記魚釣用リールの第２の脚を受け入れる可動フードと、前記可動フードを前記竿体の軸方向に沿って移動させるナット機構と、を備える。当該リールシート本体の外周には雄ねじが形成される。本発明の一実施形態において、前記ナット機構は、いわゆるダブルナットである。このナット機構は、前記リールシート本体の雄ねじに螺合する第１のナットと、前記リールシート本体の雄ねじに螺合する第２のナットと、前記第１のナットと前記第２のナットとの間に前記竿体の周りに回動不能に装着されたスリーブと、を有する。当該スリーブは、切り割りを有する。
【００１０】
当該実施形態によれば、スリーブによりナット機構の緩みが抑制される。当該スリーブは第１のナットと第２のナットとの間に配置されているため、当該ナット機構の締結時には当該スリーブに対して大きな応力が作用する。当該スリーブには切り割りが形成されているため、当該スリーブは、リング形状の従来の緩み止めリングよりも変形しやすい。よって、大きな応力が作用しても、当該スリーブは破壊されにくい。
【００１１】
本発明の一実施形態に係るリールシートにおいては、前記スリーブの内周面に前記竿体の軸方向に沿って延びる突起が形成され、前記リールシート本体の外周面に前記竿体の軸方向に沿って延び、前記突起を受け入れる溝が形成されている。前記突起は、前記スリーブの内周面の前記切り割りと反対側に形成されてもよい。
【００１２】
当該実施形態によれば、スリーブの内周面に形成された突起により、当該スリーブの竿体周りの回動を確実に規制することができる。スリーブが変形するときには、切り割りと反対側の位置に応力が集中しやすい。当該突起をスリーブの切り割りと反対側（例えば、スリーブの周方向において切り割りから１８０°回転した位置）に設けることにより、スリーブのうち応力が集中しやすい部分を補強することができる。
【００１３】
本発明の一実施形態に係るリールシートにおいて、前記スリーブは、前記竿体の軸方向に対して垂直な方向からは前記リールシート本体に対して着脱できないように構成される。本発明の一実施形態に係るリールシートにおいて、前記スリーブは、前記切り割りの幅が前記リールシート本体の直径よりも小さい範囲で変形可能に構成される。これらの実施形態によれば、スリーブの不用意な脱落を防止することができる。
【００１４】
本発明の一実施形態に係るリールシートは、前記スリーブに外装されるリングをさらに有する。このリングは、当該スリーブに外装されたときに、当該スリーブの切り割りを覆うように構成される。当該実施形態によれば、スリーブに形成された切り割りがリールシート表面に露出しない。リールシートは、釣り人による握り心地を考慮して、滑らかな曲線から成る外表面を有する。切り割りがリールシート表面に露出していると、釣り人の指が当該切り割りに触れてしまうので、釣り人に不快感を与えるおそれがある。上記実施形態によれば、切り割りがリールシート表面に露出しないので、釣り人の握り心地を向上させることができる。
【００１５】
本発明の一実施形態に係る釣竿は、上述したいずれかのリールシートを備える。
【発明の効果】
【００１６】
本発明の実施形態によれば、リールシート用のダブルナットの緩み止め部材（スリーブ）は破壊されにくい。よって、魚釣用リールシートに、破壊されにくい緩み止め部材を有するダブルナットを用いることができる。
【図面の簡単な説明】
【００１７】
【図１】本発明の一実施形態に係る釣竿を示す側面図である。
【図２】本発明の一実施形態に係るリールシートを示す側面図である。
【図３】図２のナット機構の分解斜視図である。
【図４】図３のスリーブの断面を示す断面図である。
【図５】本発明の他の実施形態に係るリールシートに設けられるリングの断面を示す断面図である。
【発明を実施するための形態】
【００１８】
以下、本発明の様々な実施形態を添付図面を参照して説明する。なお、各図面において共通の構成要素には共通の参照符号が付されている。また、各図面は、説明の便宜上、必ずしも正確な縮尺で記載されているとは限らない点に留意されたい。
【００１９】
まず、図１ないし図４を参照して本発明の一実施形態に係るリールシート及び当該リールシートを備える釣竿について説明する。図１は、本発明の一実施形態に係る釣竿を示す側面図である。図示のように、本発明の一実施形態に係る釣竿は、細長い円筒状の竿体１０を備えている。この竿体１０は、リールシート３０と、前側グリップ３２と、後側グリップ３４と、尻栓３６と、を備えている。リールシート３０には、様々な種類の魚釣用リール４０が装着される。竿体１０には、釣糸を魚釣用リール４０から穂先まで案内する複数のガイドＧが取り付けられる。
【００２０】
魚釣用リール４０は、その脚部４１を介してリールシート１０に装着される。脚部４１は、スプールやハンドルを備えたリール本体から延伸する支脚４２と、当該支脚４２の下端から前方に延伸する前脚４３と、当該支脚４２の下端から後方に延伸する後脚４４と、を有する。魚釣用リール４０は、リールシート１０に装着可能なものである限り特定の構成に限定されるものではない。本発明においては、例えば、スピニングリール、両軸受型リール、及び片軸受型リール等の様々なリールを魚釣用リール４０として用いることができる。
【００２１】
本発明の一実施形態において、リールシート３０は、リールシート本体２０と、後方フード２２と、前方フード２４と、ナット機構２５と、を備える。リールシート本体２０は、中空の筒状に形成される。リールシート本体２０は、竿体１０の外側に接着等により固定される。リールシート本体２０の外周の前部には、ナット機構２５の構成要素が螺合される雄ねじ２０Ｎが形成されている。リールシート本体２０の外表面には、軸方向のほぼ全長にわたって延伸する溝２０ａが形成される。この溝２０ａは、後述するように、前方フード２４の内周面に形成された凸部及びスリーブ２８の内周面に形成された突起を収容する。リールシート本体２０には、魚釣用リール４０の前脚４３及び後脚４４を載置する載置面２０Ｓが設けられる。載置面２０Ｓは、前脚４３及び後脚４４が安定して載置されるように、平面形状を有する。
【００２２】
後方フード２２は、リールシート本体２０の後部に設けられる。後方フード２２は、リールシート本体２０と一体に形成されてもよい。後方フード２２は、リールシート本体２０とは別体に形成されてもよい。この場合、後方フード２２は、接着等によりリールシート本体２０に固定される。後方フード２２は、リールシート本体２０に対して移動しないように構成及び配置される。この意味で、後方フード２２は、固定フードと呼ばれることがある。後方フード２２には、魚釣用リール４０の後脚４４を受け入れる受入口２２Ｆが形成される。
【００２３】
前方フード２４は、ほぼ円筒形状に形成される。前方フード２４は、後方フード２２とは別体に構成されている。前方フード２４は、リールシート本体２０の外径よりも若干大きな内径を有するように形成される。前方フード２４は、リールシート本体２０の外周面において後方フード２２から軸方向に所定間隔離間した位置に配置される。前方フード２４には、魚釣用リール４０の前脚４３を受け入れる受入口２４Ｆが形成される。前方フード２４の内周面は、竿体１０に装着された状態で当該竿部材の軸方向に延伸する突起２４ａを有する。前方フード２４は、この突起２４ａが上述したリールシート本体２０の溝２０ａと係合するように、当該リールシート本体２０に装着される。突起２４ａが溝２０ａと係合することにより、前方フード２４は、リールシート本体２０の周方向への回転が規制される一方、軸方向へは自由に移動することができる。この軸方向への移動が可能であることに着目して、前方フード２４は、可動フード又は移動フードと呼ばれることがある。
【００２４】
前方フード２４の前方にはナット機構２５が設けられる。このナット機構２５は、２つのナットを備えるダブルナットである。図示の実施形態において、ナット機構２５は、前方フード２４の前方に隣接して配置される第１のナット２６と、第１のナット２６よりも前方に配置される第２のナット２７と、この第１のナット２６と第２のナット２７との間に配置される緩み止め用のスリーブ２８と、を備える。
【００２５】
第１のナット２６は、リールシート本体２０の外径よりも若干大きな内径を有するように構成される。第１のナット２６の内面には、雌ねじ２６ａが形成されている。第１のナット２６は、この雌ネジ２６ａを介して、リールシート本体２０の雄ねじ２０Ｎと螺合するように構成される。
【００２６】
第２のナット２７は、リールシート本体２０の外径よりも若干大きな内径を有するように構成される。第２のナット２７の内面には、雌ねじ２７ａが形成されている。第２のナット２７は、この雌ネジ２７ａを介して、リールシート本体２０の雄ねじ２０Ｎと螺合するように構成される。
【００２７】
スリーブ２８は、ほぼ円筒形状に形成される。一実施形態において、スリーブ２８は、幅狭に形成される。具体的には、スリーブ２８は、竿体１０の軸方向における長さが第１のナット２６の当該軸方向の長さ及び第２のナット２７の当該軸方向の長さのいずれよりも短くなるように形成される。一実施形態において、スリーブ２８は、その軸方向長さが第１のナット２６の軸方向長さの半分の長さ及び第２のナット２７の軸方向長さの半分の長さのいずれよりも短くなるように形成される。
【００２８】
スリーブ２８の内周面には、竿体１０に装着された状態で竿体１０の軸方向に延伸する突起２８ａが形成される。スリーブ２８は、この突起２８ａが上述したリールシート本体２０の溝２０ａと係合するように、当該リールシート本体２０に装着される。突起２８ａが溝２０ａと係合することにより、スリーブ２８は、リールシート本体２０の周方向への回転が規制される一方、軸方向へは自由に移動することができる。
【００２９】
スリーブ２８には、切り割り２８ｂが形成される。この切り割り２８ｂは、スリーブ２８の内周面と外周面とを貫通するように形成される。また、切り割り２８ｂは、スリーブ２８の前端と後端とを貫通するように形成される。一実施形態において、切り割り２８ｂは、突起２８ａと反対側（突起２８ａから約１８０°または丁度１８０°回転した位置）に形成される。この切り割り２８ｂにより、スリーブ２８に対して応力が作用したときに、当該スリーブ２８は、拡径する方向（図４の矢印ａの方向）または縮径する方向（図４の矢印ｂの方向）に弾性変形することができる。
【００３０】
切り割り２８ｂは、スリーブ２８が竿体１０の軸方向に対して垂直な方向からはリールシート本体２０に対して着脱できない程度の幅に構成される。具体的には、切り割り２８ｂは、スリーブ２８が拡径方向（矢印ａの方向）に変形した場合であっても、切り割り２８ｂの幅がリールシート本体２０の外径（直径）より大きくならないように形成される。つまり、スリーブ２８は、切り割り２８ｂの幅がリールシート本体２０の直径よりも小さい範囲で変形することができる。
【００３１】
リールシート本体２０、前方フード２４、第１のナット２６、第２のナット２７、スリーブ２８は、典型的には、ＡＢＳ樹脂、ナイロン、ポリエチレンテレフタレート等の硬質合成樹脂部材から射出成型により形成される。前方フード２４及び後方フード２２の材料、製法、及び形状等は、本明細書で明示されたものに限られず、本明細書で例示された態様には様々な変更が加えられ得る。例えば、リールシート本体２０、前方フード２４、第１のナット２６、第２のナット２７、及びスリーブ２８の一部は、アルミ、ＳＵＳ、チタン等の金属、または、これらの金属と合成樹脂との複合材料から構成され得る。
【００３２】
魚釣用リール４０の装着前には、後方フード２２との間に十分な間隔が確保されるように、第１のナット２６及び第２のナット２７を十分に緩めておく。魚釣用リール４０の装着時には、まず後方フード２２の受入口２２Ｆに魚釣用リール４０の後脚４４の先端を挿入する。続いて魚釣用リール４０の前脚８の先端が前方フード２４の受入口２４Ｆに挿入されるように、第１のナット２６を締結方向に回転させる。これにより、第１のナット２６は、前方フード２４とともに、後方フード２２に近づく方向に移動する。このようにして、魚釣用リール４０の前脚４３及び後脚４４をを前方フード２４内及び後方フード２２内にそれぞれ収容できる。
【００３３】
次に、スリーブ２８を第１のナット２６に接するまで竿体１０に沿って手元側に移動させる。続いて、第２のナット２７を締結方向に回転させる。これにより、第２のナット２７は、手元側に（すなわち、前方フード２４及び後方フード２２に近づく方向）に移動する。第２のナット２７を十分に締結方向に回転させることにより、スリーブ２８が第１のナット２６の前端に押し付けられる。これにより、第１のナット２６に対して緩む方向の力が作用しても、第１のナット２６とスリーブ２８との間の摩擦力により、第１のナット２６の緩む方向への回転が防止される。
【００３４】
上述した実施形態によれば、スリーブ２８により可動フード２４及びナット機構２５の緩みが抑制される。また、スリーブ２８は、切り割り２８ｂを有するため、リング形状を有する従来の緩み止めリングよりも弾性変形しやすい。よって、スリーブ２８に対して大きな応力が作用しても、当該スリーブ２８は破壊されにくい。切り割り２８ｂを形成したことにより、スリーブ２８の切り割り２８ｂと反対側に変形時の応力が集中しやすくなる。スリーブ２８の内周面において切り割り２８ｂと反対側に突起２８ａを設けることにより、この応力が集中しやすい部位を補強することができる。
【００３５】
図５は、本発明の他の実施形態に係るリールシートに設けられるリングを示す断面図である。図５に示すように、当該リールシートにおいては、スリーブ２８にリング３８が外装される。このリング３８は、スリーブ２８の外径よりも若干大きな内径を有するように構成される。リング３８は、その内周面がスリーブ２８の外周面と接するように、スリーブ２８に外側から嵌め込まれる。リング３８は、その軸方向長さがスリーブ２８の軸方向長さとほぼ同じ長さとなるように形成される。リング３８は、スリーブ２８がリールシート本体１０の表面に露出しないように、スリーブ２８を覆うように配置される。
【００３６】
図５の実施形態によれば、スリーブ２８の切り割り２８ｂがリールシート１０表面に露出することを防止できる。切り割り２８ｂがリールシート１０の表面に露出していると、釣り人の握り心地に悪影響がある。リング３８により、切り割り２８ｂがリールシート１０の表面に露出しなくなるので、図５の実施形態によれば、釣り人の握り心地を向上させることができる。
【００３７】
本明細書で説明された各構成要素の寸法、材料、形状、及び配置は、実施形態中で明示的に説明されたものに限定されず、むしろ本発明の範囲に含まれうる任意の寸法、材料、形状、及び配置を有するように各構成要素を変形することができる。また、本明細書において明示的に説明した以外の構成要素を、説明した実施形態に付加することもできるし、各実施形態において説明した構成要素の一部を省略することもできる。
【００３８】
例えば、図示の実施形態では、後方フード２２が竿体１０に対して移動可能で前方フード２４が竿体１０に固定されているが、前方フード２４を竿体１０に対して移動可能とし後方フード２２を竿体１０に対して移動可能に構成しても良い。
【符号の説明】
【００３９】
１  釣竿
１０  竿体
２０  リールシート
２２  後方フード
２４  前方フード
２５  ナット機構
２６  第１のナット
２７  第２のナット
２８  緩み止めスリーブ
２８ａ  突起
２８ｂ  切り割り
３８  リング
【図１】
0006639984.tif 000002
【図２】
0006639984.tif 000003
【図３】
0006639984.tif 000004
【図４】
0006639984.tif 000005
【図５】
0006639984.tif 000006